(57)【要約】【課題】濡れて重い洗濯物や重いハンガーに掛けた洗濯物などを竿に低い位置にて楽に掛け、該竿を高い位置に移動させて太陽光や風に晒せる昇降式物干し竿を提供する。【解決手段】本発明の昇降式物干し竿は、固定竿２と可動竿３とを備え、該可動竿３のバランスする少なくとも２点に一端を固定したロープ４の他の端部を、前記固定竿３に軸架したローラ６を経て、該固定竿の一端部に設けた巻取り軸１３に固定し、該巻取り軸に設けたギア径に対して径小ギアを有するチェーンプーリー１５の軸１６にギア連繋させたことを特徴とし、低い位置にて洗濯物などを竿に掛けたり取り込んだり、また、高い位置で太陽光や風に晒すことができ、しかも、竿の高い位置や低い位置を保つための作業が楽に行え、踏み台や脚立を用意する面倒さをなくすとともに、踏み台や脚立が倒れることによる怪我の危険を回避できるように構成した。【選択図】図１
2011041772.tif 000002
【特許請求の範囲】
【請求項１】
固定竿と可動竿とを備え、該可動竿のバランスする少なくとも２点に一端を固定したロープの他端を、前記固定竿に軸架したローラを経て、該固定竿の一端部に設けた巻取り軸に固定し、該巻取り軸に設けたギア径に対して小径ギアを有するチェーンプーリー軸にギア連繋させたことを特徴とする昇降式物干し竿。
【請求項２】
固定竿と可動竿とを備え、該可動竿のバランスする左右２点の頂面に一端を固定したロープの他端を、前記固定竿の下側に直交状に軸架した上ローラの上面を回し、前記可動竿の上側に直交状に軸架した下ローラの下面を回し、更に、上ローラから下ローラを１回以上回し、再び上ローラの上面を回して前記固定竿の一端部に設けたハウジング内にその側壁の透孔を通して揃えて引込み、該引込み端を前記ハウジング内に軸架したローラを介して直角に曲げて巻取り軸に固定し、該巻取り軸に設けたギア径に対して小径ギアを有するチェーンプーリー軸にギア連繋させたことを特徴とする昇降式物干し竿。
【発明の詳細な説明】
【技術分野】
【０００１】
本発明は、低い位置にて洗濯物などを竿に掛け、その竿を高い位置に移動させて太陽光や風に晒し（干し）、乾いた物を低い位置に移動させて取り込みできるようにした昇降式物干し竿に関するものである。
【背景技術】
【０００２】
一般に物干し竿は、必要な間隔を空けて対向設置したＴ字状支柱又はイ字状支柱の頂部に並んだＵ部材に、両端を掛けて使用されていた。前者のＴ字状支柱の場合は、Ｕ部材を設けた頂部が水平であるため、洗濯物などを竿に掛けるときの姿勢が同一に保てる点で優れ、後者のイ字状支柱の場合は、Ｕ部材を設けた頂部が傾斜しているため、竿が段々になることから、洗濯物などに太陽光や風を万弁なく当てることができる点で優れているといえた。
【発明の開示】
【発明が解決しようとする課題】
【０００３】
しかしながら、上記従来型の物干し竿は、Ｔ字状支柱又はイ字状支柱の場合でも洗濯物などが地面に触れることがないように必要な高さに保たれている。したがって、その高さの竿に、濡れて重い洗濯物や重いハンガーに掛けた洗濯物を掛けるには辛さを伴ったばかりでなく、その高さに届かない背丈の人は、踏み台や脚立を用意する面倒があったし、用意した踏み台や脚立が倒れて骨折などの怪我の危険もあった。
【０００４】
本発明は、上記諸問題を解消するためのもので、その目的とするところは、濡れて重い洗濯物や重いハンガーに掛けた洗濯物などを竿に低い位置にて楽に掛け、その竿を高い位置に移動させて太陽光や風に晒すことができ、さらに、乾いた物を低い位置に移動させて取り込むことができるようにし、踏み台や脚立を用意する面倒さをなくすとともに、踏み台や脚立が倒れることによる怪我の危険を回避できるようにした昇降式物干し竿を提供することにある。
【課題を解決するための手段】
【０００５】
上記目的を達成するため、本発明の昇降式物干し竿は、固定竿と可動竿とを備え、該可動竿のバランスする少なくとも２点に一端を固定したロープの他端を、前記固定竿に軸架したローラを経て、該固定竿の一端部に設けた巻取り軸に固定し、該巻取り軸に設けたギア径に対して径大ギアを有するチェーンプーリー軸にギア連繋させたことを特徴とし、低い位置にて洗濯物などを竿に掛けたり取り込んだりでき、高い位置で太陽光や風に晒すことができるように構成した。
【０００６】
また、請求項２に記載の昇降式物干し竿は、固定竿と可動竿とを備え、該可動竿のバランスする左右２点の頂面に一端を固定したロープの他端を、前記固定竿の下側に直交状に軸架した上ローラの上面を回し、前記可動竿の上側に直交状に軸架した下ローラの下面を回し、更に、上ローラから下ローラを１回以上回し、再び上ローラの上面を回して前記固定竿の一端部に設けたハウジング内にその側壁の透孔を通して揃えて引込み、該引込み端を前記ハウジング内に軸架したローラを介して直角に曲げて巻取り軸に固定し、該巻取り軸に設けたギア径に対して小径ギアを有するチェーンプーリー軸にギア連繋させたことを特徴とし、竿の高い位置や低い位置を保つための作業が楽に行えるように構成した。
【発明の効果】
【０００７】
本発明によれば、低い位置にて洗濯物などを竿に掛けたり取り込んだりでき、高い位置で太陽光や風に晒すことができ、竿の高さを補うために踏み台や脚立を用意する面倒をなくするとともに、踏み台や脚立が倒れることの危険を未然に解消できるなど各種の優れた効果を奏するものである。
【０００８】
また、請求項２に記載の発明によれば、竿の高い位置や低い位置を保つための作業が軽い力で行え、子供や年配者（高齢者を含む）にも楽に物干しができるという優れた効果を奏するものである。
【発明を実施するための最良の形態】
【０００９】
次に、本発明の実施するための最良の形態を図面に基づいて説明する。図１は本願竿の一部を省略した正面図、図２はロープの巻取り機構部を示す側面断面図、図３は固定竿と可動竿とをロープを介して連繋した状態を示す斜視図、図４は固定竿の下側に直交状に軸架した上ローラ部の拡大断面図、図５はロープの巻取り機構部の拡大図である。
【００１０】
本願竿１は固定竿２と可動竿３とを備えている。前記可動竿３は、そのバランスする左右２点の頂面に、一端４ａを固定したロープ４の他方の端部４ｂを前記固定竿２の下側に直交状に竿巻（Ω型）金具５を介して軸架した上ローラ６の上面を回し、前記可動竿３の下側に直交状に竿巻金具５′を介して軸架した下ローラ７の下面を回すことにより昇降可能に連繋されている。前記上ローラ６又は下ローラ７は、図４の如く、前記竿巻金具５、５′の竿巻部から延びた２つの脚部間に挿通したビス８を中心に回転できるようになっている。
【００１１】
前記ロープ４は、図３の如く、上ローラ６の上面と、下ローラ７の下面との間に、２回（２回に限らない）回して上ローラ６の上面を通して固定竿２の下面に沿って引出されている。しかして、ロープ４の端部４ｂを、図３の矢印Ａ方向に引っ張ると、前記可動竿３を矢印Ａ′方向に上昇させることができる一方、該ロープ４の端部４ｂを矢印Ｂ方向に緩めると、可動竿３を矢印Ｂ′方向に降下させることができるようになっている。上記の場合において、上ローラ６と下ローラ７との間のロープ４の掛け数が増えると、より滑車効果（動力伝達力）が向上する。
【００１２】
前記固定竿２の下面に沿って引出された２本のロープ４の端部４ｂは、図５の如く、前記固定竿２の一端部に設けたハウジング９内に、その側壁９ａの透孔１０を通して２本引き揃えた状態により引込まれ、該ハウジング９内の中間棚部９ｂ上に設けたアングル１１に軸架されているローラ１２を介して直角方向に曲げられ、巻取り軸１３に固定されている。この固定は巻取り軸１３を直交する貫通孔に通した２本のロープ端部に径大部材（図示せず）を取り付けておけばよい。
【００１３】
前記巻取り軸１３にはギア１４が一体に固着されている。このギア１４は、前記ハウジング９の中間棚部９ｂから垂下した内縦壁９ｃとハウジング側壁９ａとを貫通するように軸支されたチェーンプーリー１５の軸１６に一体に固着されたギア１７にギア連繋させている。
【００１４】
前記チェーンプーリー軸１６に固着したギア１７のギア径は、前記巻取り軸１３のギア１４に対して小径になっている。すなわち、前記チェーンプーリー１５を駆動するチェーン１８を操作してチェーンプーリー１５を回し、その軸１６に固定したギア１７と巻取り軸１３のギア１４とのギア比により前記ロープ端部４ｂの巻取りあるいは巻戻し作業が軽い力にて楽に行えるようになる。
【００１５】
前記チェーンプーリー１５の軸１６のギア１７には、前記巻取り軸１３に巻取ったロープ端部４ｂが巻戻し方向に回されないされないようにするためのストッパー１９が、前記ギア１７に噛合する方向にバネ付勢されている。このストッパー１９は、前記ハウジング９の側壁９ａに設けたレバー２０を、図示していない「上昇印」と「下降印」に合わせるようにセットすることにより作用させることができるようにしている。
【００１６】
すなわち、前記レバー２０を「上昇印」にセットして前記チェーン１８を操作すると、チェーンプーリー１５、その軸１６、ギア１７及びギア１４を経て、前記巻取り軸１３を回し、ロープ端部４ｂの巻上げにより前記可動竿３を上昇させる。その上昇の途中で可動竿３を止めたいときは前記ストッパー１９の作用にて任意の位置で自由に止められる。
【００１７】
一方、前記レバー２０を「下降印」にセットしてチェーン１８を逆方向に回すように操作してチェーンプーリー１５、その軸１６、ギア１７及びギア１４を経て、前記巻取り軸１３を逆方向に回してロープ端部４ｂを緩めると、可動竿３を下降させる。このとき、前記ストッパー１９は開放された状態にある。尤も、前記可動竿３を下降途中で止めたいときは前記レバー２０を上昇印にセットし直すことになる。
【００１８】
前記固定竿２は、図示していないＴ字状支柱又はイ字状支柱間の頂部に並んだＵ部材に両端を掛けても、マンションやアパート等のベランダに沿って立てた支柱間に両端を掛けても、上階のベランダの下面に設けたフックに両端を掛けても、さらには、窓枠の天井寄りの内側（又は外側）に設けたフックに両端を掛けてもよい。
【００１９】
次に、本発明の作用について説明する。今、図１の如く、本願竿１の可動竿３が低い位置にある状態で、この可動竿３に洗濯物などを掛け、前記レバー２０を「上昇印」にセットして前記チェーン１８を操作する。これによりチェーンプーリー１５、その軸１６、ギア１７及びギア１４を経て、前記巻取り軸１３が回り、ロープ端部４ｂの巻上げにより前記可動竿３が図１の一点鎖線に示す如く、上昇させることができる。該可動竿３はその上昇位置において、前記ストッパー１９の作用にて静止するので、この可動竿３に掛けた洗濯物などは高い位置で太陽光や風に晒すことができる。
【００２０】
次に、乾いた洗濯物などを可動竿３から取込むときは、前記レバー２０を「下降印」にセットして前記チェーン１８を逆方向に操作する。これによりチェーンプーリー１５、その軸１６、ギア１７及びギア１４を経て、前記巻取り軸１３が逆方向に回り、ロープ４は巻戻され、前記可動竿３を図１の実線に示す如く、下降させることができ、この位置で可動竿３に掛けた乾いた洗濯物などを取り込むことができる。
【００２１】
したがって、低い位置にて、濡れて重い洗濯物などを竿に掛け、その竿を高い位置に移動させて太陽光や風に晒したり、乾いた物を低い位置に移動させて取り込むことができるから、これらの作業に際して踏み台や脚立を用意する面倒さがなく、踏み台や脚立が倒れることによる怪我の危険を回避できる。
【産業上の利用可能性】
【００２２】
本願竿は、上述の如く、洗濯物などを竿に掛けるときは低い位置にでき、太陽光や風に晒すときは、高い位置に変位させることができるもので、一般家庭はもちろん、看護施設や介護施設においても広く利用でき、その利用可能性が極めて大きいものである。
【図面の簡単な説明】
【００２３】
【図１】本願物干し竿の一部を省略した正面図である。
【図２】ロープの巻取り機構部を示す側面断面図である。
【図３】固定竿と可動竿とをロープを介して連繋した状態を示す斜視図である。
【図４】固定竿の下側に直交状に軸架した上ローラ部の拡大断面図である。
【図５】ロープの巻取り機構部の拡大図である。
【符号の説明】
【００２４】
１  本願竿
２  固定竿
３  可動竿
４  ロープ
４ａ  ロープ一端
４ｂ  ロープ端部
５、５′  竿巻（Ω型）金具
６  上ローラ
７  下ローラ
８  ビス
９  ハウジング
９ａ  側壁
９ｂ  中間棚部
９ｃ  内縦壁
１０  透孔
１１  アングル
１２  ローラ
１３  巻取り軸
１４  ギア
１５  チェーンプーリー
１６  チェーンプーリー軸
１７  ギア
１８  チェーン
１９  ストッパー
２０  レバー
【図１】
2011041772.tif 000003
【図２】
2011041772.tif 000004
【図３】
2011041772.tif 000005
【図４】
2011041772.tif 000006
【図５】
2011041772.tif 000007